(57)【要約】【課題】電子機器を害することがない低フリンジ磁気領域が得られるようにフリンジ磁場を整形したＭＲＩシステムを提供する。【解決手段】均一な磁場領域を生成するための磁場発生器を開示する。本磁場発生器は、円筒状に配列させた複数の主マグネット・コイルと、円筒状に配列させかつ該複数のマグネットの半径方向の外方に配置させた複数の遮蔽コイルと、を備えており、これら主マグネット・コイル及び遮蔽コイルは、動作時に少なくとも１つの低フリンジ磁場領域を成すように磁場を整形するように構成されている。低フリンジ磁場領域を生成させるＭＲＩシステムを設計するための方法を開示する。本方法は、解空間を規定する工程と、撮像域、中心磁場及び均一性の要件を規定する工程と、フリンジ磁場要件を規定する工程と、最適化アルゴリズムを動作させてコイル位置を決定する工程と、を含む。【選択図】      図１
2005193056.tif 000002
【特許請求の範囲】
【請求項１】
均一な磁場（８４）領域を生成させるための磁場（９４）発生器であって、
円筒状に配列させた複数の主マグネット・コイルと、
円筒状に配列させ、かつ前記複数のマグネットの半径方向の外方に配置させた複数の遮蔽コイル（５７）と、を備えており、
前記主マグネット・コイル及び遮蔽コイル（５７）は、動作時に少なくとも１つの低フリンジ磁場領域（８６）を成すように磁場（９４）を整形するように構成されている磁場（９４）発生器。
【請求項２】
撮像ボリューム内で磁場（９４）の整形を支援するための負コイル（９２）をさらに備える請求項１に記載の磁場（９４）発生器。
【請求項３】
電子回路をさらに備えており、
前記電子回路は、該磁場（９４）発生器が動作中のときに前記少なくとも１つの低フリンジ磁場領域（８６）内に配置されている、請求項１に記載の磁場（９４）発生器。
【請求項４】
前記電子回路は、
傾斜増幅器ユニットと、
ＲＦ増幅器（６０）ユニットと、
システム制御装置（３２）（３２）と、
マグネット監視ユニットと、
を備えることがある、請求項３に記載の磁場（９４）発生器。
【請求項５】
前記少なくとも１つの低フリンジ磁場領域（８６）は約５０ガウス未満である、請求項１に記載の磁場（９４）発生器。
【請求項６】
前記少なくとも１つの低フリンジ磁場領域（８６）は約１０ガウス未満である、請求項１に記載の磁場（９４）発生器。
【請求項７】
前記少なくとも１つの低フリンジ磁場領域（８６）は約２．５ガウス未満である、請求項１に記載の磁場（９４）発生器。
【請求項８】
前記少なくとも１つの低フリンジ磁場領域（８６）はハウジングの周りに環状のボリュームを成している、請求項５に記載の磁場（９４）発生器。
【請求項９】
磁気共鳴イメージング・システムであって、
複数の主マグネット・コイルと、
前記複数の主マグネット・コイルから半径方向の外方に配置させた複数の遮蔽コイル（５７）と、
前記主マグネット・コイル及び前記遮蔽コイル（５７）を収容するハウジングと、
前記ハウジングの半径方向の外方でかつ前記ハウジングの近傍に配置させた、該磁気共鳴イメージング・システムを動作させるための電子回路と、を備えており、
前記主マグネット・コイル及び遮蔽コイル（５７）は、動作時に少なくとも１つの低フリンジ磁場領域（８６）を成すように磁場（９４）を整形するように構成されている、磁気共鳴イメージング・システム。
【請求項１０】
低フリンジ磁場領域（８６）を生成させるようにＭＲＩシステム（１０）を設計するためのマシン読み取り可能なコンピュータ・プログラム・コードによって符号化した記憶媒体であって、コンピュータに対して、
解空間を規定する工程と、
撮像域、中心磁場及び均一性の要件を規定する工程と、
フリンジ磁場要件を規定する工程と、
最適化アルゴリズムを動作させてコイル位置を決定する工程と、
を含んだ方法を実現させるための命令を含む記憶媒体。
【発明の詳細な説明】
【技術分野】
【０００１】
本発明の分野は磁気共鳴イメージング（「ＭＲＩ」）システムに関する。さらに詳細には、本発明は、電子機器を害することがない低フリンジ磁気領域が得られるようにフリンジ磁場を整形するＭＲＩシステムに関する。しかし、本発明は別の同様の用途にも適用できることを理解されたい。
【背景技術】
【０００２】
ＭＲＩは、電離放射線に依拠しない診断撮像様式の１つである。これに代えてＭＲＩでは、強力な（理想的には）静磁場、無線周波数（ＲＦ）のエネルギー・パルス、及び磁場傾斜波形を利用する。より具体的には、ＭＲＩは、対象の内部像を作成するために原子核の磁化及びラジオ波を使用している非侵襲的な手順である。検査対象のある部位のそれぞれの「スライス」に関して３次元診断画像データが収集される。これらのデータ・スライスは、典型的には、１ミリメートルまたはこれより良好な分解能を有する構造ディテールを提供する。
【０００３】
ＭＲＩを利用して画像を作成する際には、対象内の特定の箇所からＭＲＩ信号を取得するための技法が利用される。典型的には、撮像しようとする領域（関心領域）が、使用される具体的な位置特定法に応じて様々であるようなＭＲＩ計測サイクルのシーケンスによってスキャンを受ける。得られた受信ＭＲＩ信号の組は、ディジタル化されて処理され、よく知られた多くの再構成技法のうちの１つを用いて画像が再構成される。こうしたスキャンを実行するには勿論、対象内の特定の箇所からＭＲＩ信号を引き出すことが必要である。このことは、偏向用磁場Ｂ０と同じ方向を有しているが、撮像を容易にするためにスライス、位相エンコード及び読み出しを必要に応じて選択するように構成されているＧＳＬＩＣＥ、ＧＰＨＡＳＥ  ＥＮＣＯＤＥ及びＧＲＥＡＤＯＵＴで表される傾斜磁場を利用することによって達成される。各ＭＲＩサイクル中でこれらの傾斜の強度を制御することによって、スピン励起の空間分布を制御することができ、かつ得られたＭＲＩ信号の位置を特定することができる。
【特許文献１】米国特許第６５３８５４５号
【発明の開示】
【発明が解決しようとする課題】
【０００４】
ＭＲＩシステムでは、強力で均一な磁場発生器（典型的には、直径４０〜５０ｃｍの球体ボリューム（「ＤＳＶ」）の内部において１０ｐｐｍ未満）が必要なだけではなく、ＭＲＩシステムを動作させるために一組の付属の電子回路も必要である。従来では、これらの電子回路のほとんどすべては、撮像室の外部に据え付けられ、貫通パネルを通してマグネット／傾斜／ＲＦシステムに接続されている。これらの電子回路は磁場によって損傷及び／または誤動作を生じやすいために、通常は撮像室の外部に配置されている。この配置には欠点がある。ＭＲＩシステムの据え付けに、複雑なケーブルの引き回し（多くの場合、１５０本を超えるケーブル数）、並びに貫通パネルの建設が必要であり、これらは共に据え付け時間を延長させかつ費用を増加させることにつながる。さらに、ＭＲＩシステムの動作に必要な電子回路は隔てられた部屋に据え付けられてきたため、これら電子回路及びＭＲＩシステムに対するセットアップ及び構成は据え付けの後または途中に現地で実施しなければならず、このためセットアップ及び構成を現地で実施するために追加的な時間と人件費が必要となる。
【課題を解決するための手段】
【０００５】
開示した装置は均一な磁場領域を生成するための磁場発生器に関する。本磁場発生器は、円筒状に配列させた複数の主マグネット・コイルと、円筒状に配列させかつ該複数のマグネットの半径方向の外方に配置させた複数の遮蔽コイルと、を備えており、これら主マグネット・コイル及び遮蔽コイルは、動作時に少なくとも１つの低フリンジ磁場領域を成すように磁場を整形するように構成されている。
【０００６】
開示したシステムは磁気共鳴イメージング・システムであって、複数の主マグネット・コイルと、該複数の主マグネット・コイルから半径方向の外方に配置させた複数の遮蔽コイルと、該主マグネット・コイル及び該遮蔽コイルを収容するハウジングと、該ハウジングの半径方向の外方でかつ該ハウジングの近傍に配置させた、該磁気共鳴イメージング・システムを動作させるための電子回路と、を備えており、これら主マグネット・コイル及び遮蔽コイルは動作時に少なくとも１つの低フリンジ磁場領域を成すように磁場を整形するように構成されている、磁気共鳴イメージング・システムに関する。
【０００７】
開示した方法は、低フリンジ磁場領域を生成させるＭＲＩシステムの設計に関する。本方法は、解空間を規定する工程と、撮像域、中心磁場及び均一性の要件を規定する工程と、フリンジ磁場要件を規定する工程と、最適化アルゴリズムを動作させてコイル位置を決定する工程と、を含む。
【０００８】
開示した装置はさらに、低フリンジ磁場領域を生成させるようにＭＲＩシステムを設計するためのマシン読み取り可能なコンピュータ・プログラム・コードによって符号化した記憶媒体であって、コンピュータに対して１つの方法を実現させる命令を含んだ記憶媒体に関する。この方法は、解空間を規定する工程と、撮像域、中心磁場及び均一性の要件を規定する工程と、フリンジ磁場要件を規定する工程と、最適化アルゴリズムを動作させてコイル位置を決定する工程と、を含む。
【発明を実施するための最良の形態】
【０００９】
同じ要素に対して幾つかの図において同じ番号を付している例示的な図面を参照する。
【００１０】
図１を参照すると、開示したＭＲＩシステム１０の一実施形態の主要コンポーネントを表している。このシステムの動作は、キーボードその他の入力デバイス１３、制御パネル１４及び表示スクリーン１６を含むオペレータ・コンソール１２から制御を受けている。コンソール１２は、オペレータが画像の作成及び表示スクリーン１６上への画像表示を制御できるようにする独立のコンピュータ・システム２０と、リンク１８を介して連絡している。コンピュータ・システム２０は、バックプレーン２１を介して互いに連絡している多くのモジュールを含んでいる。これらのモジュールには、画像プロセッサ・モジュール２２、ＣＰＵモジュール２４、並びに当技術分野でフレーム・バッファとして知られている画像データ・アレイを記憶するためのメモリ・モジュール２６が含まれる。コンピュータ・システム２０は、画像データ及びプログラムを記憶するためにディスク記憶装置２８及びテープ駆動装置３０とリンクしており、さらに高速シリアル・リンク３４を介して独立のシステム制御部３２と連絡している。入力デバイス１３は、マウス、ジョイスティック、キーボード、トラックボール、タッチ作動スクリーン、光学読取り棒、音声制御器、あるいは同様な任意の入力デバイスや同等の入力デバイスを含むことができ、また入力デバイス１３は対話式幾何学指定のために使用することができる。
【００１１】
システム制御部３２は、バックプレーン３３により互いに接続させたモジュールの組を含んでいる。これらのモジュールには、ＣＰＵモジュール３６や、シリアル・リンク４０を介してオペレータ・コンソール１２に接続させたパルス発生器モジュール３８が含まれる。システム制御部３２は、実行すべきスキャンシーケンスを指示するオペレータからのコマンドをこのリンク４０を介して受け取っている。パルス発生器モジュール３８は、各システム・コンポーネントを動作させて所望のスキャンシーケンスを実行させ、発生させるＲＦパルスのタイミング、強度及び形状、並びにデータ収集ウィンドウのタイミング及び長さを指示するデータを発生させている。パルス発生器モジュール３８は、スキャン中に発生させる傾斜パルスのタイミング及び形状を指示するために一組の傾斜増幅器４２と接続させている。パルス発生器モジュール３８はさらに、生理学的収集制御器４４から患者データを受け取ることができ、この生理学的収集制御器４４は、患者に装着した電極からのＥＣＧ信号など患者に接続した異なる多数のセンサからの信号を受け取っている。また最終的には、パルス発生器モジュール３８はスキャン室インタフェース回路４６と接続させており、スキャン室インタフェース回路４６はさらに、患者及びマグネット系の状態に関連付けした様々なセンサからの信号を受け取っている。このスキャン室インタフェース回路４６を介してさらに、患者位置決めシステム４８がスキャンのために患者を所望の位置に移動させるコマンドを受け取っている。
【００１２】
パルス発生器モジュール３８が発生させる傾斜波形は、Ｇｘ増幅器、Ｇｙ増幅器及びＧｚ増幅器を有する傾斜増幅器システム４２に加えられる。各傾斜増幅器は、収集した信号の空間エンコードに使用する磁場傾斜を生成させるように全体を番号５０で示す傾斜コイル・アセンブリ内の物理的に対応する傾斜コイルを励起させている。傾斜磁場コイル・アセンブリ５０は、偏向用マグネット５４（独立に表した遮蔽コイル５７を含む）及び全身用ＲＦコイル５６を含むマグネット・アセンブリ５２の一部を形成している。このマグネット・アセンブリ５２の外側表面はハウジングと呼ぶことがある。システム制御部３２内の送受信器モジュール５８は、ＲＦ増幅器６０により増幅を受け送信／受信スイッチ６２によりＲＦコイル５６に結合されるようなパルスを発生させている。患者内の励起された原子核が放出して得られた信号は、同じＲＦコイル５６により検知し、送信／受信スイッチ６２を介して前置増幅器６４に結合させることができる。増幅したＭＲ信号は、送受信器５８の受信器部分で復調され、フィルタ処理され、さらにディジタル化される。送信／受信スイッチ６２は、パルス発生器モジュール３８からの信号により制御し、送信モードではＲＦ増幅器６０をコイル５６と電気的に接続させ、受信モードでは前置増幅器６４をコイル５６に接続させている。送信／受信スイッチ６２によりさらに、送信モードと受信モードのいずれに関しても独立のＲＦコイル（例えば、表面コイル）を使用することが可能となる。
【００１３】
ＲＦコイル５６により取り込まれたＭＲ信号は送受信器モジュール５８によりディジタル化され、システム制御部３２内のメモリ・モジュール６６に転送される。未処理のｋ空間データのアレイをメモリ・モジュール６６内に収集し終わると１回のスキャンが完了となる。この未処理のｋ空間データは、各画像を再構成させるように別々のｋ空間データ・アレイの形に配置し直しており、これらの各々は、データをフーリエ変換して画像データのアレイにするように動作するアレイ・プロセッサ６８に入力される。この画像データはシリアル・リンク３４を介してコンピュータ・システム２０に送られ、コンピュータ・システム２０において画像データはディスク記憶装置２８内などの記憶装置内に格納される。この画像データは、オペレータ・コンソール１２から受け取ったコマンドに応じて、テープ駆動装置３０上などの長期記憶内にアーカイブしたり、画像プロセッサ２２によりさらに処理してオペレータ・コンソール１２に伝達しディスプレイ１６上に表示させたりすることができる。
【００１４】
磁気アセンブリ５２はさらに、様々な電子回路７６を収容する電子回路ハウジング７４を備えることがある。ＭＲＩシステムを動作させるために使用される電子回路のうちの一部または全部がこの電子回路ハウジング７４内に据え付けられることがある。磁気アセンブリ５２は追加的に、人体８０を受け容れるためのチェンバ７８を備えることがある。
【００１５】
図２は、開示したＭＲＩシステム１０の一実施形態の概略図を示している。この磁気アセンブリ５２及び電子回路ハウジング７４は、フリンジ磁場８２がチェンバ７８から離れる方向で外向きに放出されるように表している。このチェンバ７８内には均一な磁場８４を表している。フリンジ磁場８２は、マグネット５４から放出され、かつマグネット５４及び遮蔽コイル５７の向き及び位置によって整形を受ける。このフリンジ磁場８２は、電子回路の周りに低フリンジ磁場領域８６が形成されるように整形されており、また電子回路ハウジング７４を用いて収容されることがある。図２に示した実施形態では、低フリンジ磁場領域は約５０ガウス未満の磁場強度を有している。この低フリンジ磁場領域は、磁気アセンブリ５２を囲繞する環形状を成すことがある。この磁場強度は、低フリンジ磁場領域８６の内部に配置させることがある電子回路７６を害することがない程度に低フリンジ磁場領域内で十分に小さくなっている。電子回路を配置させることがあるのは、まさにこの領域内である。この電子回路は、磁気アセンブリ５２を取り囲んでいる環状ボリューム内に配置されることがある。図２には、約５０ガウスを超える２つの比較的高磁場の領域８８を表している。
【００１６】
図３は、開示したシステムの別の実施形態の概略図を示している。この実施形態では、遮蔽コイル５７及びマグネット５４が、図３に示すフリンジ磁場９０を形成するような方法で構成されている。この実施形態では、約１０ガウス未満の低フリンジ磁場領域８６が１つ存在している。電子回路ハウジング７４の内部に配置させることがある電子回路はこの領域内にある。図３には、約１０ガウスを超える２つの比較的高磁場の領域８８を表している。
【００１７】
図４は、開示したシステムの別の実施形態を示している。この実施形態では、遮蔽コイル５７、マグネット５４及び負コイル９２が、図４に示す磁場９４を形成するような方法で構成されている。負コイル９２は、短尺小型マグネットの形に主磁場を整形するために使用されることがある。この実施形態では、約５０ガウス未満の低フリンジ磁場領域８６が１つ存在している。電子回路ハウジング７４内部に配置させることがある電子回路７６はこの領域内にある。図４には、約５０ガウスを超える２つの比較的高磁場の領域８８を表している。均一な磁場８４は、この実施形態では、約４５〜５０ｃｍ  ＤＳＶとすることがある。ここで、図４に示した軸方向スケール９４と半径方向スケール９６に注目されたい。これらのスケール９４、９６の単位はセンチメートルであり、また、遮蔽コイル、マグネット及び負コイルの位置及び大きさは、スケール９４、９６を基準としてスケール調整されている。
【００１８】
このパラグラフでは、磁気アセンブリを設計するための処理法について記載する。少なくとも１つの低フリンジ領域を有しながら依然として極めて均一な磁場を維持するようにフリンジ磁場を整形することによってそのシステムを最適化するためには、次式の最適化によることができる。
【００１９】
Ｍｉｎｉｍｉｚｅ  Ｏｂｊ＝ΣＶｉ（Ｉｉ＋−Ｉｉ−）
ここで、
−Ｉｍａｘ≦Ｉｉ−≦０
０≦Ｉｉ＋≦Ｉｍａｘ
ＢＬ≦ＡＸ≦ＢＵ
解空間は、該空間全体にわたり一連の小さい円形超伝導ループ、すなわち円筒座標系（Ｚ，Ｒ，Ф）のＺ−Ｒ面上で観察すると１つのグリッドに分割される。Ｉｉ−、Ｉｉ＋は、各超伝導ループに関する状態変数である。これらは、各超伝導ループ内の電流の量（負または正）を表している。各超伝導ループ内で電流を検出することによって、マグネットの設計要件を満たすのに必要なマグネットコイル幾何学構成が決定される。Ｖｉは、解空間内の各超伝導ループに対する荷重係数である。Ａは、各目標磁場点に対する磁場寄与に関する、またはＢ０寄与を含む球体高調波に関する超伝導ループの強度行列である。Ｘは、すべての状態変数からなるベクトルである。ＢＬ及びＢＵは、磁場（ガウス、テスラ）または高調波（ｐｐｍ）に関する下限及び上限の束縛ベクトルである。これらは、磁場均一性、所望の中心磁場（Ｂ０）、及びフリンジ磁場プロフィールを規定する実際上の制約事項である。
【００２０】
図５は、低いフリンジ磁場強度を有する磁気アセンブリを設計するための方法の一実施形態を示す流れ図を表している。処理ブロック１２０では、磁気アセンブリがその内部で動作する解空間が規定または修正される。処理ブロック１２２では、撮像域（ＦＯＶ）、中心磁場、及び均一性の要件が規定または修正される。処理ブロック１２４では、フリンジ磁場要件が規定または修正される。低強度のフリンジ磁場領域内に配置させる電子回路の磁場許容度に基づいて具体的なフリンジ磁場プロフィールを指定する必要があるのはこの処理ブロックにおいてである。処理ブロック１２６では、最適化アルゴリズムのルーチンが起動され、主マグネット・コイル、遮蔽コイル及び／または負コイルの位置が決定される。判断ブロック１２８では、処理ブロック１２６における最適化操作によって実用可能な解が得られたか否かが判定される。判断ブロック１３０では、処理ブロックで生成された解が製作可能であるか否かが判定される。
【００２１】
図５に開示した方法は、コンピュータにより実現させた処理法並びにこれらの処理法を実施するための装置の形態で具現化されることがある。この開示した方法はさらに、フレキシブル・ディスク、ＣＤ−ＲＯＭ、ハードドライブ、または別の任意のコンピュータ読み取り可能記憶媒体２８などの有形媒体内に具現化された命令を含むコンピュータ・プログラム・コードの形態で具現化されることがあり、このコンピュータ・プログラム・コードをコンピュータ２４内にロードしてコンピュータ２４によって実行すると、このコンピュータは本発明を実施するための装置となる。本方法はさらに、コンピュータ・プログラム・コードの形態で具現化される（このプログラム・コードが、例えば記憶媒体２８内に保存されるか、コンピュータ２４にロードされるかつ／またはコンピュータ２４によって実行されるか、電気配線やケーブル接続による、光ファイバを通す、または電磁放射を介するなど何らかの伝送媒質を用いてデータ信号２９を介した伝送を受けるかの如何によらない）ことがあり、このコンピュータ・プログラム・コードをコンピュータ内にロードしてコンピュータによって実行すると、このコンピュータは本発明を実施するための装置となる。汎用のマイクロプロセッサ上で実現させると、このコンピュータ・プログラム・コードのセグメントによって具体的な論理回路を生成させるようにマイクロプロセッサが構成される。
【００２２】
開示した方法及び装置の技術的寄与は、これにより、フリンジ磁場領域の内部にある電子的コンポーネントの通常動作に悪影響を与えない低フリンジ磁場領域が得られるようにマグネット・アセンブリに対するコンピュータ支援型の設計が提供されることである。
【００２３】
ＭＲＩシステムを動作させるために使用される電子回路の配置と一致させて低フリンジ磁場領域が生成されるように各マグネット及び遮蔽コイルを構成することによって、据え付け及びメンテナンスの間においてより迅速かつより低コストでＭＲＩシステムが組み上げられる可能性がある。システムの電子回路をＭＲＩ装置の近傍に配置できることによって、貫通パネルへのアクセス、複雑なケーブルの引き回し、長いケーブル及び長い据え付け時間に対する必要性が排除または低減される。電子回路７６は、図１に示した電子的コンポーネントのうちのすべてまたは幾つかまたは１つ、及び／または図１には示していない別の電子的コンポーネントを備えることがある。
【００２４】
本発明に関して好ましい実施形態を参照しながら記載してきたが、本発明の範囲を逸脱することなく様々な変更が可能であると共に、その要素の等価物による代用が可能であることは当業者であれば理解するであろう。さらに、多くの修正形態により、本発明の本質的範囲を逸脱することなく具体的な状況や材料を本発明の教示に適応させることができる。したがって、本発明を実施するように企図したベストモードとして開示した特定の実施形態に本発明を限定しようという意図ではなく、本発明は本特許請求の範囲の域内に入るすべての実施形態を包含するように意図している。さらに、第１、第２などの用語の使用は、何らかの順序や重要性を意味しておらず、第１、第２などの用語はむしろ、ある要素を別の要素と区別するために使用したものである。
【図面の簡単な説明】
【００２５】
【図１】開示したＭＲＩシステムの図である。
【図２】開示したＭＲＩシステム及びフリンジ磁場の概要図である。
【図３】開示したＭＲＩシステム及びフリンジ磁場の別の実施形態の概要図である。
【図４】開示したＭＲＩシステム及びフリンジ磁場の別の実施形態の概要図である。
【図５】開示した方法の一実施形態を表した流れ図である。
【符号の説明】
【００２６】
１０  磁気共鳴イメージング（ＭＲＩ）システム
１２  オペレータ・コンソール
１３  入力デバイス
１４  制御パネル
１６  表示スクリーン
１８  リンク
２０  コンピュータ・システム
２１  バックプレーン
２２  画像プロセッサ・モジュール
２４  ＣＰＵモジュール
２６  メモリ・モジュール
２８  ディスク記憶装置
２９  データ信号
３０  テープ駆動装置
３２  システム制御部
３３  バックプレーン
３４  シリアル・リンク
３６  ＣＰＵモジュール
３８  パルス発生器モジュール
４０  シリアル・リンク
４２  傾斜増幅器
４４  生理学的収集制御器
４６  スキャン室インタフェース回路
４８  患者位置決めシステム
５０  傾斜磁場コイル・アセンブリ
５２  マグネット・アセンブリ
５４  偏向用マグネット
５６  ＲＦコイル
５７  遮蔽コイル
５８  送受信器モジュール
６０  ＲＦ増幅器
６２  送信／受信スイッチ
６４  前置増幅器
６６  メモリ・モジュール
６８  アレイ・プロセッサ
７４  電子回路ハウジング
７６  電子回路
７８  チェンバ
８０  人体
８２  フリンジ磁場
８４  均一な磁場
８６  低フリンジ磁場領域
８８  高磁場領域
９０  フリンジ磁場
９２  負コイル
９４  磁場
【図１】
2005193056.tif 000003
【図２】
2005193056.tif 000004
【図３】
2005193056.tif 000005
【図４】
2005193056.tif 000006
【図５】
2005193056.tif 000007
【外国語明細書】
2005193056000001.pdf